(57)【要約】【課題】モジュール電池を適切に窒息消火し、窒息消火の際にモジュール電池が損傷しにくくする。【解決手段】電力貯蔵装置が筐体、モジュール電池及び消火機構を備える。モジュール電池が単電池群及び容器を備える。筐体の内部に形成される筐体内空間にモジュール電池が収容される。容器の内部に形成される容器内空間に単電池群が収容される。付属消火設備が消火機構に着脱される。膨張ひる石及び圧送ガスの混合流が付属消火設備から消火機構へ供給される。消火機構によりモジュール電池が膨張ひる石で覆われる。【選択図】図１
2014061218.tif 000002
【特許請求の範囲】
【請求項１】
電力貯蔵装置及び付属消火設備を備え、
前記電力貯蔵装置は、
筐体内空間が内部に形成される筐体と、
前記筐体内空間に収容され、単電池群及び容器を備え、前記容器の内部に容器内空間が形成され、前記単電池群が前記容器内空間に収容されるモジュール電池と、
膨張ひる石及び圧送ガスの混合流が供給され、前記モジュール電池を膨張ひる石で覆う消火機構と、
を備え、
前記付属消火設備は、
前記消火機構に着脱され、膨張ひる石及び圧送ガスの混合流を前記消火機構に供給する
組み合わせ製品。
【請求項２】
前記容器が天面を備え、
前記天面が鉛直方向上方を向き、
前記消火機構は、
前記筐体内空間に収容され、前記天面に沿って膨張ひる石が進行する方向に膨張ひる石を噴射する噴射ノズルと、
装置内輸送流路が形成され、前記装置内輸送流路を経由して膨張ひる石が圧送され、前記装置内輸送流路が前記筐体の外部から前記噴射ノズルへ至る流路形成体と、
を備え、
前記付属消火設備は、
前記流路形成体に着脱され、膨張ひる石及び圧送ガスの混合流を前記装置内輸送流路に供給する
請求項１の組み合わせ製品。
【請求項３】
前記容器に奥行き方向及び幅方向が定義され、
前記容器が手前側の側面及び奥側の側面を備え、
前記噴射ノズルが、第１の噴射ノズルであり、前記容器の幅方向の中央より一方の側にあり、手前側から奥側へ膨張ひる石を噴射し、
前記流路形成体が第１の流路形成体であり、
前記装置内輸送流路が第１の装置内輸送流路であり、
前記消火機構は、
前記筐体内空間に収容され、前記天面に沿って膨張ひる石が進行する方向に膨張ひる石を噴射し、前記容器の幅方向の中央より他方の側にあり、手前側から奥側へ膨張ひる石を噴射する第２の噴射ノズルと、
第２の装置内輸送流路が形成され、前記第２の装置内輸送流路を経由して膨張ひる石が圧送され、前記第２の装置内輸送流路が前記筐体の外部から前記第２の噴射ノズルへ至る第２の流路形成体と、
捕集口が形成され、前記捕集口が鉛直方向上方を向き、前記捕集口が前記奥側の側面上の前記天面寄りの位置に配置され、前記奥側の側面に沿い、前記容器の幅方向の中央にあるカゴと、
をさらに備え、
前記付属消火設備は、
膨張ひる石及び圧送ガスの混合流を前記第２の装置内輸送流路に供給する
請求項２の組み合わせ製品。
【請求項４】
前記消火機構は、
第１の反射面が形成され、前記第１の反射面が前記容器の幅方向の中央より一方の側にあり前記奥側の側面よりさらに奥側にあり、前記第１の噴射ノズルにより噴射され前記第１の反射面に衝突した膨張ひる石を反射して前記容器の幅方向の中央へ誘導する第１の中央誘導体と、
第２の反射面が形成され、前記第２の反射面が前記容器の幅方向の中央より他方の側にあり前記奥側の側面よりさらに奥側にあり、前記第２の噴射ノズルにより噴射され前記第２の反射面に衝突した膨張ひる石を反射して前記容器の幅方向の中央へ誘導する第２の中央誘導体と、
をさらに備える
請求項３の組み合わせ製品。
【請求項５】
前記消火機構は、
平坦面を有し、前記平坦面が前記天面に対向する構造物、
をさらに備える
請求項２から請求項４までのいずれかの組み合わせ製品。
【請求項６】
前記筐体は、
開口が形成される筐体本体と、
前記開口を開閉し、前記噴射ノズル及び前記流路形成体が取り付けられる扉と、
を備える
請求項２から請求項５までのいずれかの組み合わせ製品。
【請求項７】
前記装置内輸送流路が第１の断面を有し、
前記噴射ノズルに噴射孔及びノズル内流路が形成され、
前記ノズル内流路が、前記装置内輸送流路に通じ、前記第１の断面より広げられた第２の断面を有し、
前記噴射孔が、前記ノズル内流路に通じ、前記第１の断面より狭められた開口を有する
請求項２から請求項６までのいずれかの組み合わせ製品。
【請求項８】
前記噴射ノズルは、
噴射孔が形成される噴射ノズル本体と、
被挿入孔が形成され、前記噴射孔が前記被挿入孔に通じ、前記被挿入孔に前記流路形成体が挿入される連結機構と、
を備える
請求項２から請求項６までのいずれかの組み合わせ製品。
【請求項９】
前記流路形成体は、
第１の分割体と、
前記第１の分割体に連結される第２の分割体と、
を備え、
前記装置内輸送流路は、
前記第１の分割体に形成され、第１の区間断面を有する第１の区間と、
前記第２の分割体に形成され、前記第１の区間に通じ、前記第１の区間より下流にあり、前記第１の区間断面より狭められない第２の区間断面を有する第２の区間と、
を備える
請求項２から請求項８までのいずれかの組み合わせ製品。
【請求項１０】
前記流路形成体は、
前記第１の分割体の端部及び前記第２の分割体の端部が当たった状態で前記第１の分割体及び前記第２の分割体を連結する分割体の連結機構
をさらに備える
請求項９の組み合わせ製品。
【請求項１１】
前記装置内輸送流路は、
湾曲輸送区間
を備え、
前記湾曲輸送区間の中心線の曲率半径が前記湾曲輸送区間の内径の５倍以上１０倍以下である
請求項２から請求項１０までのいずれかの組み合わせ製品。
【請求項１２】
前記付属消火設備は、
圧力室が形成される圧力容器と、
前記圧力室に収容される膨張ひる石と、
前記圧力室に圧送ガスを供給する供給機構と、
排出流路が形成され、前記排出流路が前記圧力室から前記圧力容器の外部へ至る排出流路形成体と、
前記流路形成体に着脱され、輸送流路が形成され、前記輸送流路が前記排出流路に通じる輸送流路形成体と、
を備える
請求項１から請求項１１までのいずれかの組み合わせ製品。
【請求項１３】
前記排出流路の上流側の端部が、前記圧力室にあり、鉛直方向下方を向く
請求項１２の組み合わせ製品。
【請求項１４】
前記排出流路は、
湾曲排出区間
を備え、
前記湾曲排出区間の中心線の曲率半径が前記湾曲排出区間の内径の５倍以上１０倍以下である
請求項１２又は請求項１３の組み合わせ製品。
【請求項１５】
前記供給機構は、
充填室が形成されるボンベと、
前記充填室に充填される圧送ガスと、
供給流路が形成され、前記供給流路が前記充填室から前記圧力室へ至る供給流路形成体と、
前記供給流路形成体の途上にあり、圧送ガスの圧力を減ずる一次減圧弁と、
前記供給流路形成体の途上にあり、前記一次減圧弁より下流にあり、圧送ガスの圧力をさらに減ずる二次減圧弁と、
を備える
請求項１２から請求項１４までのいずれかの組み合わせ製品。
【請求項１６】
前記供給機構が供給する圧送ガスの圧力が０．２ＭＰａ以下である
請求項１２から請求項１５までのいずれかの組み合わせ製品。
【請求項１７】
圧送ガスが窒素ガスである
請求項１２から請求項１６までのいずれかの組み合わせ製品。
【請求項１８】
前記排出流路形成体が非可撓性であり、前記輸送流路形成体が可撓性である
請求項１２から請求項１７までのいずれかの組み合わせ製品。
【発明の詳細な説明】
【技術分野】
【０００１】
本発明は、電力貯蔵装置及び消火設備の組み合わせ製品に関する。
【背景技術】
【０００２】
特許文献１は、電力貯蔵装置に関する。特許文献１の電力貯蔵装置はモジュール電池を備える。モジュール電池においては、ナトリウム−硫黄電池の単電池群（集合電池２）が容器（収納ケース１）の内部に形成された容器内空間に収容される。流路形成体（連結配管６及び分岐管７）に形成された輸送流路は、容器内空間に通じる。火災が発生した場合は、消火剤が輸送流路を経由して圧送され、容器内空間が消火剤で満たされる。消火剤は、セラミックス粒子、砂等である。
【先行技術文献】
【特許文献】
【０００３】
【特許文献１】特開平５−３１７４４０号公報
【発明の概要】
【発明が解決しようとする課題】
【０００４】
特許文献１の電力貯蔵装置においては、容器内空間が消火剤で満たされるが、供給可能な消火剤の量は容器内空間の容積以下に制限される。このため、モジュール電池が適切に窒息消火させられない場合がある。また、セラミックス粒子、砂等の消火剤は、比重が大きい。このため、消火剤の排出、輸送及び噴射に必要な圧送ガスが多くなる。また、消火剤の排出、輸送及び噴射に要する時間が長くなる。さらに、モジュール電池が消火剤の重さにより損傷する場合がある。
【０００５】
本発明は、これらの問題を解決するためになされる。本発明の目的は、モジュール電池を適切に窒息消火し、消火剤の排出、輸送及び噴射に必要な圧送ガスを少なくし、消火剤の排出、輸送及び噴射に要する時間を短くし、窒息消火の際にモジュール電池が損傷しにくくすることである。
【課題を解決するための手段】
【０００６】
本発明は、電力貯蔵装置及び付属消火設備を備える組み合わせ製品に向けられる。
【０００７】
本発明の第１の局面においては、電力貯蔵装置が筐体、モジュール電池及び消火機構を備える。モジュール電池が単電池群及び容器を備える。筐体の内部に形成される筐体内空間にモジュール電池が収容される。容器の内部に形成される容器内空間に単電池群が収容される。付属消火設備が消火機構に着脱される。膨張ひる石及び圧送ガスの混合流が付属消火設備から消火機構へ供給される。消火機構によりモジュール電池が膨張ひる石で覆われる。
【０００８】
本発明の第２の局面は、本発明の第１の局面にさらなる事項を付加する。本発明の第２の局面においては、容器の天面が鉛直方向上方を向く。消火機構が噴射ノズル及び流路形成体を備える。噴射ノズルは、筐体内空間に収容される。噴射ノズルは、膨張ひる石を噴射する。噴射された膨張ひる石は、天面に沿って進行する。流路形成体に形成される装置内輸送流路を経由して膨張ひる石が圧送される。装置内輸送流路が筐体の外部から噴射ノズルへ至る。付属消火設備は、流路形成体に着脱される。付属消火設備は、膨張ひる石及び圧送ガスの混合流を装置内輸送流路に供給する。
【０００９】
本発明の第３の局面は、本発明の第２の局面にさらなる事項を付加する。本発明の第３の局面においては、容器に奥行き方向及び幅方向が定義される。上記の噴射ノズルが第１の噴射ノズルであり、上記の流路形成体が第１の流路形成体であり、上記の装置内輸送流路が第１の装置内輸送流路である。消火機構が第２の噴射ノズル、第２の流路形成体及びカゴをさらに備える。第２の噴射ノズルは、筐体内空間に収容される。第２の噴射ノズルは、膨張ひる石を噴射する。噴射された膨張ひる石は、天面に沿って進行する。第２の流路形成体に形成される第２の装置内輸送流路を経由して膨張ひる石が圧送される。第２の装置内輸送流路が筐体の外部から第２の噴射ノズルへ至る。付属消火設備は、第２の流路形成体に着脱される。第１の噴射ノズルが容器の幅方向の中央より一方の側にある。第２の噴射ノズルが容器の幅方向の中央より他方の側にある。第１の噴射ノズル及び第２の噴射ノズルが手前側から奥側へ膨張ひる石を噴射する。カゴに形成される捕集口が鉛直方向上方を向く。捕集口が奥側の側面上の天面寄りの位置に配置される。カゴが容器の奥側の側面に沿う。カゴが容器の幅方向の中央にある。付属消火設備は、膨張ひる石及び圧送ガスの混合流を第２の装置内輸送流路に供給する。
【００１０】
本発明の第４の局面は、本発明の第３の局面にさらなる事項を付加する。本発明の第４の局面においては、消火機構が第１の中央誘導体及び第２の中央誘導体をさらに備える。第１の中央誘導体に形成される第１の反射面が容器の幅方向の中央より一方の側にある。第２の中央誘導体に形成される第２の反射面が容器の幅方向の中央より他方の側にある。第１の反射面及び第２の反射面は、容器の奥側の側面よりさらに奥側にある。第１の噴射ノズルにより噴射された膨張ひる石は、第１の反射面に衝突し、第１の反射面に反射され、容器の幅方向の中央へ誘導される。第２の噴射ノズルにより噴射された膨張ひる石は、第２の反射面に衝突し、第２の反射面に反射され、容器の幅方向の中央へ誘導される。
【００１１】
本発明の第５の局面は、本発明の第２から第４までのいずれかの局面にさらなる事項を付加する。本発明の第５の局面においては、消火機構が構造物をさらに備える。平坦面が容器の天面に対向する。
【００１２】
本発明の第６の局面は、本発明の第２から第５までのいずれかの局面にさらなる事項を付加する。本発明の第６の局面においては、筐体が筐体本体及び扉を備える。筐体本体に形成される開口が扉により開閉される。噴射ノズル及び流路形成体が扉に取り付けられる。
【００１３】
本発明の第７の局面は、本発明の第２から第６までのいずれかの局面にさらなる事項を付加する。本発明の第７の局面においては、噴射ノズルに噴射孔及びノズル内流路が形成される。噴射孔がノズル内流路に通じる。ノズル内流路が装置内輸送流路に通じる。ノズル内流路の断面が装置内輸送流路の断面より広げられる。噴射孔の開口が装置内輸送流路の断面より狭められる。
【００１４】
本発明の第８の局面は、本発明の第２から第６までのいずれかの局面にさらなる事項を付加する。本発明の第８の局面においては、噴射ノズルが噴射ノズル本体及び連結機構を備える。連結機構に形成される被挿入孔に流路形成体が挿入される。噴射ノズル本体に形成される噴射孔が被挿入孔に通じる。
【００１５】
本発明の第９の局面は、本発明の第２から第８までのいずれかの局面にさらなる事項を付加する。本発明の第９の局面においては、流路形成体が第１の分割体及び第２の分割体を備える。第１の分割体及び第２の分割体が連結される。装置内輸送流路の第１の区間が第１の分割体に形成される。装置内輸送流路の第２の区間が第２の分割体に形成される。第２の区間が第１の区間に通じる。第２の区間が第１の区間より下流にある。第２の区間の断面が第１の区間の断面より狭められない。
【００１６】
本発明の第１０の局面は、本発明の第９の局面にさらなる事項を付加する。本発明の第１０の局面においては、流路形成体が分割体の連結機構をさらに備える。分割体の連結機構は、第１の分割体の端部及び第２の分割体の端部が当たった状態で第１の分割体及び第２の分割体を連結する。
【００１７】
本発明の第１１の局面は、本発明の第２から第１０までのいずれかの局面にさらなる事項を付加する。本発明の第１１の局面においては、装置内輸送流路の湾曲輸送区間の中心線の曲率半径が装置内輸送流路の湾曲輸送区間の内径の５倍以上１０倍以下である。
【００１８】
本発明の第１２の局面は、本発明の第１から第１１までのいずれかの局面にさらなる事項を付加する。本発明の第１２の局面においては、付属消火設備が圧力容器、膨張ひる石、供給機構、排出流路形成体及び輸送流路形成体を備える。圧力容器に形成される圧力室が膨張ひる石を収容する。供給機構が圧力室に圧送ガスを供給する。排出流路形成体に形成される排出流路が圧力室から圧力容器の外部へ至る。輸送流路形成体に形成される輸送流路が排出流路に通じる。輸送流路形成体が流路形成体に着脱される。
【００１９】
本発明の第１３の局面は、本発明の第１２の局面にさらなる事項を付加する。本発明の第１３の局面においては、排出流路の上流側の端部が圧力室にある。排出流路の上流側の端部が鉛直方向下方を向く。
【００２０】
本発明の第１４の局面は、本発明の第１２又は第１３の局面にさらなる事項を付加する。本発明の第１４の局面においては、排出流路の湾曲排出区間の中心線の曲率半径が排出流路の湾曲排出区間の内径の５倍以上１０倍以下である。
【００２１】
本発明の第１５の局面は、本発明の第１２から第１４までのいずれかの局面にさらなる事項を付加する。本発明の第１５の局面においては、供給機構がボンベ、圧送ガス、供給流路形成体、一次減圧弁及び二次減圧弁を備える。ボンベに形成される充填室に圧送ガスが充填される。供給流路形成体に形成される供給流路が充填室から圧力室へ至る。一次減圧弁及び二次減圧弁が供給流路形成体の途上にある。二次減圧弁が一次減圧弁より下流にある。一次減圧弁が圧送ガスの圧力を減ずる。二次減圧弁が圧送ガスの圧力をさらに減ずる。
【００２２】
本発明の第１６の局面は、本発明の第１２から第１５までのいずれかの局面にさらなる事項を付加する。本発明の第１６の局面においては、供給機構が供給する圧送ガスの圧力が０．２ＭＰａ以下である。
【００２３】
本発明の第１７の局面は、本発明の第１２から第１６までのいずれかの局面にさらなる事項を付加する。本発明の第１７の局面においては、圧送ガスが窒素ガスである。
【００２４】
本発明の第１８の局面は、本発明の第１２から第１７までのいずれかの局面にさらなる事項を付加する。本発明の第１８の局面においては、排出流路形成体が非可撓性であり、輸送流路形成体が可撓性である。
【発明の効果】
【００２５】
本発明の第１の局面によれば、モジュール電池が適切に窒息消火させられる。消火剤の排出、輸送及び噴射に必要な圧送ガスが少なくなる。消火剤の排出、輸送及び噴射に要する時間が短くなる。モジュール電池が損傷しにくい。
【００２６】
本発明の第２の局面によれば、一方の側から他方の側へ徐々にモジュール電池が膨張ひる石に覆われる。モジュール電池が多量の膨張ひる石で適切に埋設され窒息消火させられる。
【００２７】
本発明の第３の局面によれば、容器の幅方向の中央の近くに到達した膨張ひる石がカゴに捕集される。容器の幅方向の中央において容器の奥側の側面が膨張ひる石で覆われやすくなる。モジュール電池が膨張ひる石で適切に埋設され窒息消火させられる。
【００２８】
本発明の第４の局面によれば、容器の幅方向の中央の近くに到達する膨張ひる石が増加する。多くの膨張ひる石がカゴに捕集される。モジュール電池が適切に窒息消火させられる。
【００２９】
本発明の第５の局面によれば、ガスの流れが乱れにくい。膨張ひる石が容器の天面の上方を効率よく通過する。
【００３０】
本発明の第６の局面によれば、扉が開かれた場合に噴射ノズル及び流路形成体の干渉を受けることなくモジュール電池に到達できる。モジュール電池の保全が容易になる。
【００３１】
本発明の第７の局面によれば、膨張ひる石が勢いよく噴射される。膨張ひる石が流路に詰まりにくい。
【００３２】
本発明の第８の局面によれば、噴射ノズル及び流路形成体の連結箇所において流路の断面が広がる。膨張ひる石が流路に詰まりにくい。
【００３３】
本発明の第９の局面によれば、第１の分割体及び第２の分割体の連結箇所において流路の断面が狭まらない。膨張ひる石が流路に詰まりにくい。
【００３４】
本発明の第１１の局面によれば、膨張ひる石が流路に詰まりにくい。流路形成体が大きくなりすぎない。
【００３５】
本発明の第１２の局面によれば、膨張ひる石が、滞りなく排出され、滞りなく輸送される。
【００３６】
本発明の第１３の局面によれば、膨張ひる石が自重で排出流路に侵入しにくい。膨張ひる石が流路に詰まりにくい。
【００３７】
本発明の第１４の局面によれば、膨張ひる石が流路に詰まりにくい。排出流路形成体が大きくなりすぎない。
【００３８】
本発明の第１５の局面によれば、圧送ガスの流量を容易に多くできる。
【００３９】
本発明の第１６の局面によれば、膨張ひる石の粒が損傷しにくい。膨張ひる石のかさが維持される。
【００４０】
本発明の第１７の局面によれば、圧送ガスの流量を容易に多くできる。
【００４１】
本発明の第１８の局面によれば、排出流路が安定する。膨張ひる石が安定して排出される。噴射ノズルの位置及び姿勢が容易に調整される。
【００４２】
これらの及びこれら以外の本発明の目的、特徴、局面及び利点は、添付図面とともに考慮されたときに下記の本発明の詳細な説明によってより明白となる。
【図面の簡単な説明】
【００４３】
【図１】組み合わせ製品の模式図である。
【図２】電力貯蔵装置の正面図である。
【図３】モジュール電池及びその周辺の構成物の斜視図である。
【図４】モジュール電池及びその周辺の構成物の側面図である。
【図５】モジュール電池及びその周辺の構成物の上面図である。
【図６】モジュール電池の断面図である。
【図７】噴射ノズルの斜視図である。
【図８】噴射ノズルの断面図である。
【図９】複合管及びその周辺の構成物の断面図である。
【図１０】消火設備の配管図である。
【図１１】モジュール電池が膨張ひる石に埋設されつつある状態の側面図である。
【図１２】スライドベースの斜視図である。
【図１３】装置内輸送流路の断面等の関係を示す模式図である。
【図１４】噴射ノズル及び複合管の連結構造の断面図である。
【図１５】輸送ホール、着脱体及び複合管の連結構造の断面図である。
【発明を実施するための形態】
【００４４】
（概略）
この実施の形態は、電力貯蔵装置及び付属消火設備の組み合わせ製品に関する。
【００４５】
図１の模式図は、組み合わせ製品を示す。図２の模式図は、電力貯蔵装置の正面図である。図３の模式図は、モジュール電池及びその周辺の構成物の斜視図である。図４の模式図は、モジュール電池及びその周辺の構成物の側面図である。図５の模式図は、モジュール電池及びその周辺の構成物の上面図である。図６の模式図は、モジュール電池の断面図である。図７の模式図は、噴射ノズルの斜視図である。図８の模式図は、噴射ノズルの断面図である。図９の模式図は、複合管及びその周辺の構成物の断面図である。図１０の模式図は、付属消火設備の配管図である。
【００４６】
図１に示すように、組み合わせ製品１０００は、電力貯蔵装置１０２０及び付属消火設備１０２１を備える。
【００４７】
図２に示すように、電力貯蔵装置１０２０は、筐体１０４０、モジュール電池１０４１、消火機構１０４２及び筐体内配線１０４３を備える。電力貯蔵装置１０００は、１個又は２個以上のモジュール電池を筐体１０４０の内部に備え、モジュール電池の数と同じ数の消火機構を備える。１個の消火機構が１個のモジュール電池に付随する。電力貯蔵装置１０００が２個以上のモジュール電池を備える場合は、２個以上のモジュール電池が鉛直方向に配列される場合がある。２個以上のモジュール電池が水平方向に配列されてもよい。２個以上のモジュール電池が垂直方向に配列され、垂直方向に配列された２個以上のモジュール電池がさらに水平方向に配列される場合もある。モジュール電池の数は、電力貯蔵装置１０００の仕様に応じて増減される。
【００４８】
筐体１０４０は、筐体本体１０６０及び両開き扉１０６１を備える。両開き扉１０６１は、左側の扉１０８０及び右側の扉１０８１を備える。
【００４９】
図３から図５までに示すように、消火機構１０４２は、左側の噴射ノズル１１００、右側の噴射ノズル１１０１、左側の複合管１１０２、右側の複合管１１０３、カゴ１１０４、左側の中央誘導板１１０５、右側の中央誘導板１１０６及び延焼防止板１１０７を備える。
【００５０】
図６に示すように、モジュール電池１０４１は、容器１１２０、ナトリウム−硫黄電池の単電池群１１２１、容器内配線１１２２、端子１１２３、砂１１２４及びスライドベース１１２５を備える。単電池群１１２１に含まれる単電池の数は、モジュール電池１０４１の仕様に応じて増減される。
【００５１】
容器１１２０は、箱体１１４０及び蓋体１１４１を備える。容器１１００は、スライドベース１１２５の上面１５２０に配設される。
【００５２】
図７及び図８に示すように、左側の噴射ノズル１１００及び右側の噴射ノズル１１０１の各々は、噴射ノズル本体１１６０及び輸送管接続部１１６１を備える。輸送管接続部１１６１は、筒１１８０及び止めねじ１１８１を備える。左側の噴射ノズル１１００及び右側の噴射ノズル１１０１の構造が異なる場合もある。
【００５３】
図９に示すように、左側の複合管１１０２及び右側の複合管１１０３の各々は、非湾曲管１２００、第１のカップリング１２０１、湾曲管１２０２及び第２のカップリング１２０３を備える。左側の複合管１１０２及び右側の複合管１１０３の構造が異なる場合もある。
【００５４】
図１０に示すように、付属消火設備１０２１は、圧力容器１２２０、膨張ひる石１２２１、供給機構１２２２、排出管１２２３、バルブ１２２４、輸送複合体１２２５を備える。
【００５５】
供給機構１２２２は、ボンベ１２４０、圧送ガス１２４１、供給管１２４２、一次減圧弁１２４３及び二次減圧弁１２４４を備える。
【００５６】
輸送複合体１２２５は、輸送ホース１２６０及び着脱体１２６１を備える。
【００５７】
これらの構成物以外の構成物が組み合わせ製品１０００に付加されてもよい。これらの構成物の一部が組み合わせ製品１０００から省略される場合もある。
【００５８】
モジュール電池１０４１は、図２に示される筐体内配線１０４３を経由して充放電される。モジュール電池１０４１が充放電される場合は、充放電されるモジュール電池１０４１に属する単電池群１１２１が図６に示される容器内配線１１２２を経由して充放電される。筐体内配線１０４３及び容器内配線１１２２は、端子１１２３を介して電気的に接続される。電力貯蔵装置１０２０は、望ましくは電力系統に電気的に接続され、電力の需給の調整、停電防止等に用いられる。
【００５９】
付属消火設備１０２１は、消火機構１０４２に着脱される。通常の場合は、付属消火設備１０２１は消火機構１０４２から取り外されている。モジュール電池１０４１に火災が発生した場合に、付属消火設備１０２１が消火機構１０４２に取り付けられ、膨張ひる石１２２１及び圧送ガス１２４１の混合流が付属消火設備１０２１から消火機構１０４２へ供給される。膨張ひる石１２２１及び圧送ガス１２４１の混合流が消火機構１０４２に供給された場合は、消火機構１０４２がモジュール電池１０４１を膨張ひる石で覆い、モジュール電池１０４１が適切に窒息消火させられる。
【００６０】
（膨張ひる石の性質）
膨張ひる石１２２１は、窒息消火用の消火剤として有用であり、日本国の消防法において第５種消防設備として認められている。膨張ひる石１２２１は、砂、セラミックス粉末等の粉粒体と異なる性質を持つ。例えば、膨張ひる石１２２１は、小さな比重を持ち、大きな空隙率を持ち、圧縮性を有する。このため、消火剤が膨張ひる石１２２１である場合は、モジュール電池１０４１が損傷しにくく、消火剤の排出、輸送及び噴射に要する動力が小さくなる。一方、消火剤が膨張ひる石１２２１である場合は、消火剤が流路に詰まりやすい。
【００６１】
付属消火設備１０２１及び消火機構１０４２は、膨張ひる石１２２１を、滞りなく排出し、滞りなく輸送し、滞りなく噴射でき、緊急時に確実に動作する。
【００６２】
（膨張ひる石及び圧送ガスの望ましい混合比）
膨張ひる石１２２１及び圧送ガス１２４１の混合流において膨張ひる石１２２１が占める比率には、望ましい範囲がある。膨張ひる石１２２１の比率が大きい場合は、膨張ひる石１２２１を輸送及び噴射するために必要な圧送ガ１２４１スが少なくなるが、膨張ひる石１２２１が流路に詰まりやすくなる。膨張ひる石１２２１の比率が小さい場合は、膨張ひる石１２２１が流路に詰まりにくくなるが、膨張ひる石１２２１を輸送及び噴射するために必要な圧送ガス１２４１が多くなる。
【００６３】
膨張ひる石１２２１及び圧送ガス１２４１の混合流においては、望ましくは膨張ひる石１２２１の見かけの体積の１０〜２０倍の量の圧送ガス１２４１が用いられる。これにより、膨張ひる石１２２１が滞りなく輸送される。圧送ガス１２４１の量がこの範囲より減少した場合は、膨張ひる石が輸送流路１２６０に詰まりやすくなる。圧送ガス１２４１の量がこの範囲より増加した場合は、圧送ガス１２４１が無駄に消費される。
【００６４】
（筐体の収容物）
図２、図４及び図５に示すように、筐体１０４０の内部には、筐体内空間１３６０が形成される。モジュール電池１０４１、消火機構１０４２及び筐体内配線１０４３は、筐体内空間１３６０に収容される。制御機器、電力機器、空調機器等が筐体内空間１３６０に収容される場合もある。左側の複合管１１０２及び右側の複合管１１０３の供給口１６７０の近傍が筐体１０４０の外部に飛び出す場合もある。
【００６５】
（容器の収容物）
図６に示すように、蓋体１１４１が箱体１１４０の開口にかぶせられ、容器１１２０の内部に容器内空間１３９０が形成される。単電池群１１２１、容器内配線１１２２及び砂１１２４は、容器内空間１３９０に収容される。ヒーター、温度センサー等が容器内空間１３９０に収容される場合もある。
【００６６】
（膨張ひる石の流路）
図７及び図８に示すように、噴射ノズル本体１１６０には、噴射孔１３８０及びノズル内流路１３８１が形成される。筒１１８０には、被挿入孔１４００が形成される。
【００６７】
図９に示すように、左側の複合管１１０２及び右側の複合管１１０３の各々には、装置内輸送流路１２８０が形成される。装置内輸送流路１２８０は、筐体１０４０の外部から左側の噴射ノズル１１００及び右側の噴射ノズル１１０１へ至る。装置内輸送流路１２８０の供給口１３６０は、筐体１０４０の外部に露出する。
【００６８】
図１０に示すように、圧力容器１２２０には、圧力室１３４０が形成される。排出管１２２３には、排出流路１３２０が形成される。バルブ１２２４には、バルブ内流路１３２１が形成される。輸送複合体１２２５には、には、輸送流路１３２２が形成される。
【００６９】
噴射孔１３８０は、ノズル内流路１３８１に通じ、ノズル内流路１３８１を介して被挿入孔１４００に通じ、ノズル内流路１３８１及び被挿入孔１４００を介して装置内輸送流路１２８０に通じる。ノズル内流路１３８１は、被挿入孔１４００に通じ、被挿入孔１４００を介して装置内輸送流路１２８０に通じる。
【００７０】
付属消火設備１０２１が消火機構１０４２に着脱される場合は、着脱体１２６１が左側の複合管１１０２及び右側の複合管１１０３に着脱される。着脱体１２６１が左側の複合管１１０２及び右側の複合管１１０３に取り付けられた場合は、装置内輸送流路１２８０が輸送流路１３２２に通じる。
【００７１】
輸送流路１３２２は、バルブ内流路１３２１を介して排出流路１３２０に通じる。
【００７２】
付属消火設備１０２１が膨張ひる石１２２１を供給する場合は、供給機構１２２２が圧力室１３４０に圧送ガス１２４１を供給する。バルブ１２２４が開けられ、圧力室１３４０に収容された膨張ひる石１２２１が圧送ガス１２４１により上流から下流へ圧送される。膨張ひる石１２２１は、圧力室１３４０から圧力容器１２２０の外部へ排出流路１３２０を経由して排出され、バルブ内流路１３２１を通過し、輸送流路１３２２を経由して輸送される。膨張ひる石１２２１及び圧送ガス１２４１の混合流が装置内輸送流路１２８０に供給される。
【００７３】
消火機構１０４２に供給された膨張ひる石１２２１は、装置内輸送流路１２８０を経由して左側の噴射ノズル１１００及び右側の噴射ノズル１１０１まで圧送される。
【００７４】
左側の噴射ノズル１１００及び右側の噴射ノズル１１０１まで圧送された膨張ひる石１２２１は、左側の噴射ノズル１１００及び右側の噴射ノズル１１０１により噴射される。膨張ひる石１２２１は、ノズル内流路１３８１を経由して噴射孔１３８０から飛び出す。膨張ひる石１２２１は、噴射孔１３８０が向く方向に主に噴射される。膨張ひる石１２２１は、容器１１２０の奥行き方向Ｄであって手前側から奥側へ向かう方向に噴射される。左側の噴射ノズル１１００及び右側の噴射ノズル１１０１により噴射された膨張ひる石１２２１は、容器１１２０の天面１３００に沿って進行する。図１１に示すように、モジュール電池１０４１は、奥側から手前側へ徐々に膨張ひる石１２２１に埋設され、適切に窒息消火させられる。
【００７５】
（容器の表面）
図３から図５までに示すように、容器１１２０の天面１３００は、奥行き方向Ｄ及び幅方向Ｗに広がり、鉛直方向上方を向く。容器１１２０の手前側の側面１３２１及び奥側の側面１３２２は、高さ方向Ｈ及び幅方向Ｗに広がり、容器１１２０の奥行き方向Ｄに離れる。容器１１２０の手前側の側面１３２１及び奥側の側面１３２２の両方又は片方が傾斜してもよい。容器１１２０の高さ方向Ｈは鉛直方向であるが、容器１１２０の奥行き方向Ｄ及び幅方向Ｗは任意に定義される。長い方向が幅方向Ｗであるとは限らない。膨張ひる石１２２１が主に噴射される方向が奥行き方向Ｄであり、噴射された膨張ひる石１２２１が進行する方向が手前側から奥側へ向かう方向である。
【００７６】
（膨張ひる石による中央の埋設）
図３から図５までに示すように、カゴ１１０４は、容器１１２０の奥側の側面１３２２に沿う。カゴ１１０４は、容器１１２０の幅方向Ｗの中央にある。カゴ１１０４に形成される捕集口１４４０は、鉛直方向上方を向く。捕集口１４４０は、容器１２２０の奥側の側面１３２２上の容器１２２０の天面１３００寄りの位置に配置され、容器１２２０の底面よりも容器１２２０の天面１３００に近い。容器１１２０の奥行き方向Ｄから見た場合は、カゴ１１０４の形状は逆三角形又は逆台形である。カゴ１１０４に形成されたカゴ内空間の幅は、捕集口１４４０の側が広く、底１４４１の側が狭い。
【００７７】
左側の噴射ノズル１１００は、容器１１２０の幅方向Ｗの中央より左側にある。右側の噴射ノズル１１０１は、容器１１２０の幅方向Ｗの中央より右側にある。
【００７８】
膨張ひる石１２２１は、左側の噴射ノズル１１００及び右側の噴射ノズル１１０１の正面に主に噴射される。左側の噴射ノズル１１００により噴射される膨張ひる石１２２１は、左側の噴射ノズル１１００の正面から離れるにつれて減少する。右側の噴射ノズル１１０１により噴射される膨張ひる石１２２１は、右側の噴射ノズル１１０１の正面から離れるにつれて減少する。容器１１２０の幅方向Ｗの中央に到達する膨張ひる石１２２１は少量である。カゴ１１０４が容器１１２０の幅方向Ｗの中央にある場合は、容器１１２０の幅方向Ｗの中央の近くに到達した膨張ひる石１２２１がカゴ１１０４に捕集される。これにより、容器１１２０の幅方向Ｗの中央において容器１１２０の奥側の側面１３２２が膨張ひる石１２２１で覆われやすくなり、モジュール電池１０４１が適切に窒息消火させられる。ただし、カゴ１１０４が省略された場合も、消火機構１０４２の有用性は完全には失われない。例えば、容器１１２０の幅方向Ｗの中央に噴射ノズルが追加された場合は、カゴ１１０４が省略されても、モジュール電池１０４１が適切に窒息消火させられる。とはいえ、容器１１２０の幅方向Ｗの中央にある噴射ノズルは、両開き扉１０６１に固定しがたく、モジュール電池１０４１の保全の障害になりやすい。容器１１２０の幅が狭い場合は、カゴ１１０４が省略され、左側の噴射ノズル１１００及び右側の噴射ノズル１１０１に代えて容器１１２０の幅方向Ｗの中央にある噴射ノズルのみが設けられてもよい。
【００７９】
左側の噴射ノズル１１００及び右側の噴射ノズル１１０１は、望ましくは容器１１２０の幅方向Ｗの中央について左右対称に設置される。これにより、容器１１２０の幅方向Ｗについてモジュール電池１０４１が膨張ひる石１２２１に均一に埋設される。
【００８０】
左側の噴射ノズル１１００及び右側の噴射ノズル１１０１は、望ましくは容器１１２０の手前側の側面１３２１の近くに設置される。これにより、容器１１２０の手前側までモジュール電池１０４１が膨張ひる石１２２１に均一に埋設される。
【００８１】
左側の噴射ノズル１１００及び右側の噴射ノズル１１０１は、望ましくは容器１１２０の天面１３００に接する。
【００８２】
（中央への膨張ひる石の誘導）
図３及び図５に示すように、左側の中央誘導板１１０５の反射面１４８０は、容器１１２０の幅方向Ｗの中央より左側にある。右側の中央誘導板１１０６の反射面１５００は、容器１１２０の幅方向Ｗの中央より右側にある。左側の中央誘導板１１０５の反射面１４８０及び右側の中央誘導板１１０６の反射面１５００は、容器１１２０の奥側の側面１３２２よりもさらに奥側にある。
【００８３】
左側の中央誘導板１１０５の反射面１４８０は、容器１１２０の幅方向Ｗの中央寄りにおいては容器１１２０の奥行き方向Ｄであって奥側から手前側へ向かう方向を向き、容器１１２０の幅方向Ｗの縁部寄りにおいては手前側に湾曲させられる。左側の噴射ノズル１１００により噴射され左側の中央誘導板１１０５の反射面１４８０に衝突した膨張ひる石１２２１は、左側の中央誘導板１１０５の反射面１４８０に反射され容器１１２０の幅方向Ｗの中央へ誘導される。
【００８４】
右側の中央誘導板１１０６の反射面１５００は、容器１１２０の幅方向Ｗの中央寄りにおいては容器１１２０の奥行き方向Ｄであって奥側から手前側へ向かう方向を向き、容器１１２０の幅方向Ｗの縁部寄りにおいては手前側に湾曲させられる。右側の噴射ノズル１１０１により噴射され右側の中央誘導板１１０６の反射面１５００に衝突した膨張ひる石１２２１は、右側の中央誘導板１１０６の反射面１５００に反射され容器１１２０の幅方向Ｗの中央へ誘導される。
【００８５】
これにより、容器１１２０の幅方向Ｗの中央の近くに到達する膨張ひる石１２２１が増加する。カゴ１１０４に捕集される膨張ひる石１２２１が増加し、モジュール電池１０４１が膨張ひる石１２２１で適切に埋設され窒息消火させられる。
【００８６】
左側の中央誘導板１１０５及び右側の中央誘導板１１０６は、望ましくは容器１１００の天面１３００に接する。
【００８７】
左側の中央誘導板１１０５が反射面１４８０と同様の反射面を有する板とは呼びがたい物体に置き換えられてもよい。右側の中央誘導板１１０６が反射面１５００と同様の反射面を有する板とは呼びがたい物体に置き換えられてもよい。例えば、左側の中央誘導板１１０５及び右側の中央誘導板１１０６の両方又は片方がブロック、シート等に置き換えられてもよい。
【００８８】
（ガスの流れの安定化）
図３及び図４に示すように、容器１１２０はスライドベース１１２５の上面１５２０に設置される。容器１１２０及びスライドベース１１２５は、一体化される。上段のモジュール電池のスライドベース１０４６の下面１５２１には、延焼防止板１１０７が取り付けられる。延焼防止板１１０７は、耐熱材からなる。
【００８９】
延焼防止板１１０７の下面１４６０は、平坦面であり、容器１１２０の天面１３００に対向する。これにより、ガスの流れがスライドベース１０４６に乱されにくくなる。ガスの流れが乱れない場合は、膨張ひる石１２２１が容器１１２０の天面１３００の上方を効率よく通過する。特に、図１２に示すようにガスが流れる奥行き方向Ｄと垂直な方向に伸びる棒材１５５０が配列されたスノコ構造を上段のスライドベース１０４６が有する場合は、ガスの流れが上段のスライドベース１０４６に乱されやすいので、延焼防止板１１０７によりガスの流れが著しく安定する。延焼防止板１１０７の材質が耐熱材以外であってもよい。例えば、延焼防止板１１０７の材質が金属であってもよい。
【００９０】
（噴射ノズル及び複合輸送管の取り付け）
図５に示すように、筐体本体１０６０に形成される開口１５６０は、両開き扉１０６１により開閉される。主に電力貯蔵装置１０２０が保全される場合に両開き扉１０６１が開かれる。
【００９１】
図４及び図５に示すように、左側の噴射ノズル１１００及び左側の複合管１１０２は、左側の扉１０８０に取り付けられ、左側の扉１０８０とともに移動する。右側の噴射ノズル１１０１及び右側の複合管１１０３は、右側の扉１０８１に取り付けられ、右側の扉１０８１とともに移動する。これにより、両開き扉１０６１が開かれた場合に左側の噴射ノズル１１００、右側の噴射ノズル１１０１、左側の複合管１１０２及び右側の複合管１１０３の干渉を受けることなくモジュール電池１０４１に到達できる。モジュール電池１０４１の保全が容易になる。ただし、左側の噴射ノズル１１００、右側の噴射ノズル１１０１、左側の複合管１１０２及び右側の複合管１１０３の全部又は一部が両開き扉１０６１以外に取り付けられた場合も消火機構１０４２の有用性は完全には失われない。
【００９２】
両開き扉１０６１が片開き扉に置き換えられてもよい。両開き扉１０６１が片開き扉に置き換えられた場合は、望ましくは左側の噴射ノズル１１００、右側の噴射ノズル１１０１、左側の複合管１１０２及び右側の複合管１１０３が片開き扉に固定される。
【００９３】
（装置内流路の断面、ノズル内流路の断面及び噴射孔の開口の関係）
図１３の模式図は、装置内流路の断面、ノズル内流路の断面及び噴射孔の開口の関係を示す。
【００９４】
図１３に示すように、ノズル内流路１３８１の断面は、装置内輸送流路１２８０の断面より広げられる。噴射孔１３８０の開口は、装置内輸送流路１２８０の断面より狭められる。ノズル内流路１３８１の断面積は、装置内輸送流路１２８０の断面積より大きい。噴射孔１３８０の開口面積は、装置内輸送流路１２８０の断面積より小さい。
【００９５】
噴射孔１３８０の開口が装置内輸送流路１２８０の断面より狭められた場合は、膨張ひる石１２２１が勢いよく噴射される。しかし、単に噴射孔１３８０の開口が装置内輸送流路１２８０の断面より狭められた場合は、膨張ひる石１２２１が流路に詰まりやすい。特に、膨張ひる石１２２１及び圧送ガス１２４１の混合流において膨張ひる石１２２１が占める比率が大きい場合は、膨張ひる石１２２１が流路に詰まりやすい。
【００９６】
ノズル内流路１３８１の断面が装置内輸送流路１２８０の断面より広げられた場合は、噴射孔１３８０の開口が装置内輸送流路１２８０の断面より狭められていても、膨張ひる石１２２１が流路に詰まりにくい。
【００９７】
ただし、上記の関係が満たされない場合も、消火機構１０４２の有用性は完全には失われない。例えば、混合流において膨張ひる石１２２１が占める比率が小さい場合は、上記の関係が満たされない場合も、膨張ひる石１２２１が流路に詰まりにくい。ただし、膨張ひる石１２２１が占める比率が小さい場合は、モジュール電池１０４１を膨張ひる石１２２１で埋設するのに要する時間が長くなり、多くの圧送ガス１２４１が必要になる。
【００９８】
ノズル内流路１３８１の断面形状及び噴射孔１３８０の開口形状は、矩形である。ノズル内流路１３８１の断面形状が矩形以外であってもよい。噴射孔１３８０の開口形状が矩形以外であってもよい。
【００９９】
図８に示すノズル内流路１３８１の前端部１５８０及び後端部１５８２においては、ノズル内流路１３８１の断面の幅及び高さは一定であり、ノズル内流路１３８１の断面積は一定である。図８に示すノズル内流路１３８１の中間部１５８１においては、ノズル内流路１３８１の断面の幅は一定であるがノズル内流路１３８１の断面の高さが後端部１５８２の側から前端部１５８０の側へ進むにつれて連続的に低くなり、ノズル内流路１３８１の断面積が後端部１５８２の側から前端部１５８０の側へ進むにつれて連続的に小さくなる。ノズル内流路１３８１が延在する方向は、後端部１５８２においては鉛直方向であり、中間部１５８１においては鉛直方向から水平方向へ９０°湾曲し、前端部１５８０においては水平方向である。中間部１５８１の内周側の側壁となる中間部内曲り板１５８４及び中間部１５８１の外周側の側壁となる中間部外曲り板１５８５の曲率半径は、望ましくは前端部１５８０の断面の高さの５倍以上１０倍以下である。曲率半径がこの範囲内である場合は、膨張ひる石１２２１がノズル内流路１３８１に詰まりにくく、中間部１５８１が大きくなりすぎない。曲率半径がこの範囲より小さい場合は、膨張ひる石１２２１がノズル内流路１３８１に詰まりやすい。曲率半径がこの範囲より大きい場合は、中間部１５８１が大きくなりする。
【０１００】
（噴射ノズル及び複合管の連結）
図１４の模式図は、噴射ノズル及び複合管の連結構造の断面図である。
【０１０１】
図１４に示すように、被挿入孔１４００には、非湾曲管１２００が挿入される。非湾曲管１２００は、止めねじ１１８１により固定される。
【０１０２】
非湾曲管１２００が筒１１８０に形成された被挿入孔１４００に挿入される場合は、左側の噴射ノズル１１００及び左側の複合管１１０２の連結箇所において流路の断面が広がり、右側の噴射ノズル１１０１及び右側の複合管１１０３の連結箇所において流路の断面が広がる。これにより、膨張ひる石１２２１が流路に詰まりにくくなる。
【０１０３】
非湾曲管１２００が止めねじ１１８１以外の固定機構により固定されてもよい。例えば、つめ、バンド、テープ、接着剤等により非湾曲管１２００が固定されてもよい。非湾曲管１２００の外周面及び筒１１８０の内周面の間隙に充填剤が充填されてもよい。例えば、間隙がシリコンシーラントで充填されてもよい。左側の噴射ノズル１１００及び左側の複合管１１０２が輸送管接続部１１６１以外の連結機構により連結されてもよい。右側の噴射ノズル１１０１及び右側の複合管１１０３が輸送管接続部１１６１以外の連結機構により連結されてもよい。例えば、左側の噴射ノズル１１００及び左側の複合管１１０２がフランジ対により連結されてもよい。右側の噴射ノズル１１０１及び右側の複合管１１０３がフランジ対により連結されてもよい。
【０１０４】
被挿入孔１４００の断面形状は、円形である。被挿入孔１４００の断面形状は、挿入される非湾曲管１２００の断面形状に適合すべきである。このため、被挿入孔１４００の断面形状が円形以外である場合もある。
【０１０５】
（湾曲輸送管及び非湾曲輸送管の連結構造）
図９に示すように、左側の複合管１１０２及び右側の複合管１１０３の各々は、非湾曲管１２００及び湾曲管１２０２の２個の分割体を備える。左側の複合管１１０２及び右側の複合管１１０３の両方又は片方が３個以上の分割体を備えてもよい。左側の複合管１１０２及び右側の複合管１１０３の両方又は片方が１個の輸送管に置き換えられてもよい。
【０１０６】
非湾曲管１２００は、湾曲管１２０２に連結される。装置内輸送流路１２８０の非湾曲輸送区間１４２０は、非湾曲管１２００に形成される。装置内輸送流路１２８０の湾曲輸送区間１４２１は、湾曲管１２０２に形成される。非湾曲輸送区間１４２０は、湾曲輸送区間１４２１に通じる。非湾曲輸送区間１４２０は、湾曲輸送区間１４２１より下流にある。装置内輸送流路１２８０に膨張ひる石１２２１及び圧送ガス１２４１の混合流が供給された場合は、湾曲輸送区間１４２１及び非湾曲輸送区間１４２０を順次に経由して膨張ひる石１２２１が左側の噴射ノズル１１００及び右側の噴射ノズル１１０１まで圧送される。
【０１０７】
非湾曲管１２００及び湾曲管１２０２は、非湾曲管１２００の上流側の端部１４１１及び湾曲管１２０２の下流側の端部１４１０が当たった状態で第１のカップリング１２０１により連結される。非湾曲管１２００及び湾曲管１２０２が第１のカップリング１２０１以外の連結機構により連結されてもよい。非湾曲輸送区間１４２０の断面形状及び湾曲輸送区間１４２１の断面形状は一致する。非湾曲管１２００及び湾曲管１２０２の連結箇所において流路の断面は広がることも狭まることもない。このため、膨張ひる石１２２１が流路に詰まりにくい。非湾曲輸送区間１４２０の断面が湾曲輸送区間１４２１の断面より広げられ、非湾曲管１２００及び湾曲管１２０２の連結箇所において流路の断面が広がってもよい。
【０１０８】
（曲率半径）
図９に示すように、湾曲輸送区間１４２１の中心線１４３０の曲率半径は、望ましくは湾曲輸送区間１４２１の内径の５倍以上１０倍以下である。曲率半径がこの範囲内である場合は、膨張ひる石１２２１が流路に詰まりにくく、左側の複合管１１０２及び右側の複合管１１０３が大きくなりすぎない。曲率半径がこの範囲より小さい場合は、膨張ひる石１２２１が流路に詰まりやすい。曲率半径がこの範囲より大きい場合は、左側の複合管１１０２及び右側の複合管１１０３が大きくなりすぎる。装置内輸送流路１２８０が２個以上の湾曲輸送区間を備える場合は、望ましくは全ての湾曲輸送区間が上記の条件を満たす。
【０１０９】
（付属消火設備）
図１０に示すように、排出流路１３２０は、圧力室１３４０から圧力容器１２２０の外部へ至る。輸送流路１３２２は、バルブ内流路１３２１を介して排出流路１３２０に通じる。輸送流路１３２２は、排出流路１３２０より下流にある。バルブ１２２４が省略される場合もある。バルブ１２２４が省略される場合は、輸送流路１３２２がバルブ内流路１３２１を介さないで排出流路１３２０に通じる。
【０１１０】
輸送流路１３２２の輸送区間１６００及び１６０１は、それぞれ、輸送ホース１２６０及び着脱体１２６１に形成される。
【０１１１】
着脱体１２６１及び輸送ホース１２６０は、連結される。輸送区間１６０１は、輸送区間１６００に通じる。輸送区間１６０１は、輸送区間１６００より下流にある。
【０１１２】
着脱体１２６１が省略されてもよい。
【０１１３】
（輸送ホース及び着脱体の連結構造）
図１５の模式図は、輸送ホール、着脱体及び複合管の連結構造の断面図である。
【０１１４】
図１５に示すように、着脱体１２６１は、片フランジ管１６２０及び１６２１並びに連結ボルト１６２２を備える。片フランジ管１６２０は、管１６４０及びフランジ１６４１を備える。片フランジ管１６２１は、管１６６０及びフランジ１６６１を備える。フランジ１６４１及び１６６１は、連結ボルト１６２２により連結される。輸送ホース１２６０は、管１６４０に形成された輸送ホース挿入孔１６８０に挿入される。管１６６０は、第２のカップリング１２０３に挿入される。
【０１１５】
（付属消火設備の接続の形態）
図９及び図１５に示すように、湾曲輸送管１２２２及び付属消火設備１０２１の着脱体１２６１は、湾曲輸送管１２２２の上流側の端部１６７０及び着脱体１２６１の端部１９０２が当たった状態で第２のカップリング１２０３により連結される。湾曲輸送管１２２２及び着脱体１２６１が第２のカップリング１２０３以外の連結機構により連結されてもよい。湾曲区間１４２１の断面形状及び輸送区間１６０１の断面形状は一致する。湾曲輸送管１２２２及び着脱体１２６１の連結箇所において流路の断面は広がることも狭まることもない。このため、膨張ひる石１２２１が流路に詰まりにくい。湾曲区間１４２１の断面が輸送区間１６０１の断面より広げられ、湾曲輸送管１２２２及び着脱体１２６１の連結箇所において流路の断面が広がってもよい。
【０１１６】
（排出流路の上流側の端部が向く方向）
図１０に示すように、排出管１２２３の上流側の端部は、圧力室１３４０にある。排出管１２２３の下流側の端部は、圧力容器１２２０の外部にある。排出流路１３２０の上流側の端部１７００は、排出管１２２３の上流側の端部に露出し、圧力室１３４０にあり、圧力室１３４０の底に接近させられる。排出流路１３２０の上流側の端部１７００は、膨張ひる石１２２１に埋められる。
【０１１７】
排出流路１３２０の上流側の端部１７００は、鉛直方向下方を向く。この場合は、膨張ひる石１２２１が自重で排出流路１３２０に侵入しにくく、圧送が始まるまで膨張ひる石１２２１が圧力室１３４０に留まる。これにより、膨張ひる石１２２１が排出流路１３２０に詰まりにくくなる。
【０１１８】
排出流路１３２０の延在方向が変更され、排出流路１３２０の上流側の端部１７００が向く方向が変更された場合でも、付属消火設備１０２１の有用性は完全には失われない。
【０１１９】
（曲率半径）
図１０に示すように、排出管１２２３は、湾曲部１７２０及び非湾曲部１７２１を備える。排出流路１３２０の湾曲排出区間１７４０及び非湾曲排出区間１７４１は、それぞれ、湾曲部１７２０及び非湾曲部１７２１に形成される。非湾曲部１７２１が省略される場合もある。排出管１２２３が２個以上の湾曲部を備えてもよく、排出流路１３２０が２個以上の湾曲排出区間を備えてもよい。排出管１２２３が２個以上の非湾曲部を備えてもよく、排出流路１３２０が２個以上の非湾曲排出区間を備えてもよい。
【０１２０】
湾曲排出区間１７４０の中心線１７５０の曲率半径は、望ましくは湾曲排出区間１７４０の内径の５倍以上１０倍以下である。曲率半径がこの範囲内である場合は、膨張ひる石１２２１が流路に詰まりにくく、排出管１２２３が大きくなりすぎない。曲率半径がこの範囲より小さい場合は、膨張ひる石１２２１が流路に詰まりやすい。曲率半径がこの範囲より大きい場合は、排出管１２２３が大きくなりすぎる。排出流路１３２０が２個以上の湾曲排出区間を備える場合は、望ましくは全ての湾曲排出区間が上記の条件を満たす。
【０１２１】
（２段階の減圧）
図１０に示すように、ボンベ１２４０には、充填室１７６０が形成される。充填室１７６０には、圧送ガス１２４１が充填される。供給管１２４２には、供給流路１７８０が形成される。供給流路１７８０は、充填室１７６０から圧力室１３４０へ至る。
【０１２２】
一次減圧弁１２４３及び二次減圧弁１２４４は、供給管１２４２の途上にある。二次減圧弁１２４４は、一次減圧弁１２４３より下流にある。
【０１２３】
圧送ガス１２４１は、充填室１７６０から出て供給流路１７８０を経由し圧力室１３４０へ入る。圧送ガス１２４１は、一次減圧弁１２４３及び二次減圧弁１２４４を順次に通過する。一次減圧弁１２４３は、圧送ガス１２４１の圧力を減ずる。二次減圧弁１２４４は、圧送ガス１２４１の圧力をさらに減ずる。一次減圧弁１２４３及び二次減圧弁１２４４による２段階の減圧が行われる理由は、充填室１７６０に充填された圧送ガス１２４１の圧力を圧力室１３４０に供給されるときの圧力まで減圧でき十分な圧送ガス１２４１の流量を確保できる減圧弁が希少であるためである。ただし、１段階の減圧が行われる場合も、付属消火設備１０２１の有用性は完全には失われない。３段階以上の減圧が行われてもよい。
【０１２４】
（圧送ガスの圧力）
充填室１７６０に充填される圧送ガス１２４１の圧力は、１４ＭＰａである。ただし、充填室１７６０に充填される圧送ガス１２４１の圧力が１４ＭＰａ以外であってもよい。
【０１２５】
一次減圧弁１２４３は、望ましくは３ＭＰａ以上から０．８ＭＰａまで圧送ガス１２４１の圧力を減ずる。ただし、一次減圧弁１２４３の一次側圧力が３ＭＰａ未満であってもよい。一次減圧弁１２４３の二次側圧力が０．８ＭＰａ以外であってもよい。
【０１２６】
二次減圧弁１２４４は、望ましくは０．８ＭＰａ以上から０．２ＭＰａまで圧送ガス１２４１の圧力を減ずる。ただし、二次減圧弁１２４４の一次側圧力が０．８ＭＰａ未満であってもよい。二次減圧弁１２４４の二次側圧力が０．２ＭＰａ以外であってもよい。
【０１２７】
充填室１７６０に充填された圧送ガス１２４１の圧力は、望ましくは一次減圧弁１２４３及び二次減圧弁１２４４により０．２ＭＰａ以下に調整される。これにより、膨張ひる石１２２１の粒が損傷しにくくなり、膨張ひる石１２２１のかさが維持される。圧送ガス１２４１の圧力は、さらに望ましくは０．０５ＭＰａ以上である。
【０１２８】
（圧送ガスの種類）
圧送ガス１２４１は、望ましくは窒素ガスである。窒素ガスは、気体のまま高圧にでき、流量を多くすることが容易である。ただし、圧送ガス１２４１が窒素ガス以外でもよい。例えば、圧送ガス１２４１が炭酸ガスでもよい。
【０１２９】
（可撓性）
排出管１２２３は、非可撓性である。これにより、排出流路１３２０が安定し、膨張ひる石１２２１が安定して排出される。排出管１２２３は、例えば金属、合金等からなる。金属は、例えば鉄である。合金は、例えばステンレス鋼である。排出管１２２３の全部又は一部が可撓性の排出ホースに置き換えられてもよい。
【０１３０】
輸送ホース１２６０は、可撓性である。これにより、噴射ノズルの位置及び姿勢が容易に調整される。輸送ホース１２６０は、例えばゴムからなる。輸送ホース１２６０の全部又は一部が非可撓性の輸送管に置き換えられてもよい。
【０１３１】
供給管１２４２は、非可撓性である。供給管１２４２の全部又は一部が可撓性の供給ホースに置き換えられてもよい。
【０１３２】
本発明は詳細に示され記述されたが、上記の記述は全ての局面において例示であって限定的ではない。したがって、本発明の範囲からはずれることなく無数の修正及び変形が案出されうると解される。
【符号の説明】
【０１３３】
１０００  組み合わせ製品
１０２０  電力貯蔵装置
１０２１  付属消火設備
１０４０  筐体
１０４１  モジュール電池
１０４２  消火機構
１１００  左側の噴射ノズル
１１０１  右側の噴射ノズル
１１０２  左側の複合管
１１０３  右側の複合管
１１０４  カゴ
１１０５  左側の中央誘導板
１１０６  右側の中央誘導板
１１０７  延焼防止板
１１２０  容器
１１２１  単電池群
１２２０  圧力容器
１２２１  膨張ひる石
１２２２  供給機構
１２２３  排出管
１２２５  輸送複合体
１２４０  ボンベ
１２４１  圧送ガス
【図１】
2014061218.tif 000003
【図２】
2014061218.tif 000004
【図３】
2014061218.tif 000005
【図４】
2014061218.tif 000006
【図５】
2014061218.tif 000007
【図６】
2014061218.tif 000008
【図７】
2014061218.tif 000009
【図８】
2014061218.tif 000010
【図９】
2014061218.tif 000011
【図１０】
2014061218.tif 000012
【図１１】
2014061218.tif 000013
【図１２】
2014061218.tif 000014
【図１３】
2014061218.tif 000015
【図１４】
2014061218.tif 000016
【図１５】
2014061218.tif 000017